(57)【要約】【課題】無線接続される装置に対する利用者の指示によってリーダライタの機能を開始する無線通信装置を提供すること。【解決手段】通信端末に対する通信を可能な状態に移行させる移行指示を送出する端末通信移行部と、端末通信移行部によって送出される移行指示により通信端末に対する通信が可能な状態に移行する端末通信部と、移行指示に応じた移行指示信号を生成する信号生成部と、信号生成部が生成した移行指示信号を情報処理装置に対して無線送信する送信部と、送信部から送信した移行指示信号に対する情報処理装置からの応答を無線受信する受信部と、受信部が受信した応答に応じて通信端末と情報処理装置との間の情報の送受信を制御する端末通信制御部と、を備える無線通信装置が提供される。【選択図】図１
2010206317.tif 000002
【特許請求の範囲】
【請求項１】
接触通信または非接触通信を行う通信端末に対する通信を可能な状態に移行させる移行指示を送出する端末通信移行部を含む操作部と、
前記端末通信移行部によって送出される前記移行指示により前記通信端末に対する接触通信または非接触通信が可能な状態に移行する端末通信部と、
前記移行指示に応じた移行指示信号を含む、前記操作部に対する操作に応じた信号を生成する信号生成部と、
前記信号生成部が生成した移行指示信号を情報処理装置に対して無線送信する送信部と、
前記送信部から送信した前記移行指示信号に対する前記情報処理装置からの応答を前記情報処理装置から無線受信する受信部と、
前記受信部が受信した応答が、前記情報処理装置において前記通信端末との間の情報の送受信が可能な状態にあり、かつ他に情報を送受信している通信端末が存在していないことを示すものである場合に限り、前記通信端末と前記情報処理装置との間の情報の送受信の制御を開始する端末通信制御部と、
を備える、無線通信装置。
【請求項２】
前記通信端末と前記情報処理装置との間で情報を送受信している場合に前記操作部に対する操作がなされたときは、前記信号生成部は信号の生成を制限する、請求項１に記載の無線通信装置。
【請求項３】
前記信号生成部は、前記端末通信部と前記通信端末との間の接触通信または非接触通信に影響しない操作が前記操作部に対してなされた場合には、該操作に応じた信号を生成する、請求項２に記載の無線通信装置。
【請求項４】
前記端末通信制御部は、前記情報処理装置において前記通信端末との間の情報の送受信が可能な状態にないことを検知すると無線通信装置固有の情報を前記通信端末に対して送信するよう前記端末通信部を制御する、請求項１に記載の無線通信装置。
【請求項５】
前記端末通信制御部は、前記受信部が受信した応答が、前記情報処理装置において前記通信端末との間の情報の送受信が可能な状態にあるが他に情報を送受信している通信端末が存在していることを示すものである場合には、無線通信装置固有の情報及び前記情報処理装置における動作状況に関する情報を前記通信端末に対して送信するよう前記端末通信部を制御する、請求項１に記載の無線通信装置。
【請求項６】
前記動作状況に関する情報は視聴中の番組に関する情報である、請求項５に記載の無線通信装置。
【請求項７】
前記信号生成部は、前記端末通信部と前記通信端末との間の接触通信または非接触通信に影響しない操作が前記操作部に対してなされた場合には、該操作に応じた信号を生成する、請求項５に記載の無線通信装置。
【請求項８】
無線端末から無線送信される信号を受信する受信部と、
前記受信部が受信した信号に、前記無線端末から接触通信または非接触通信を行う通信端末への通信を可能な状態に移行させる移行指示が含まれているかどうかを解析する信号解析部と、
前記信号解析部での解析の結果、前記移行指示が含まれている場合において、前記通信端末に対する通信処理が可能な状態にあり、かつ、情報を送受信している他の通信端末の存在が無いときに、前記移行指示に対する応答を生成する応答生成部と、
を含む、情報処理装置。
【請求項９】
接触通信または非接触通信を行う通信端末に対する通信を可能な状態に移行させる移行指示を送出する送出ステップと、
前記送出ステップによって送出される前記移行指示により前記通信端末に対する接触通信または非接触通信が可能な状態に移行する移行ステップと、
前記移行指示に応じた移行指示信号を生成する信号生成ステップと、
前記信号生成ステップが生成した前記移行指示信号を情報処理装置に対して無線送信する送信ステップと、
前記送信ステップで送信した前記移行指示信号に対する応答を前記情報処理装置から無線受信する受信ステップと、
前記受信ステップで受信した応答が、前記情報処理装置において前記通信端末との間の情報の送受信が可能な状態にあり、かつ他に情報を送受信している通信端末が存在していないことを示すものである場合に限り、前記通信端末と前記情報処理装置との間の情報の送受信の制御を開始する制御ステップと、
を備える、無線通信方法。
【請求項１０】
無線によって信号を送受信する無線通信装置と、
前記無線通信装置との間で無線によって信号を送受信する情報処理装置と、
を含み、
前記無線通信装置は、
接触通信または非接触通信を行う通信端末に対する通信を可能な状態に移行させる移行指示を送出する端末通信移行部を含む操作部と、
前記端末通信移行部によって送出される前記移行指示により前記通信端末に対する接触通信または非接触通信が可能な状態に移行する端末通信部と、
前記移行指示に応じた移行指示信号を含む、前記操作部に対する操作に応じた信号を生成する信号生成部と、
前記信号生成部が生成した移行指示信号を情報処理装置に対して無線送信する送信部と、
前記送信部から送信した前記移行指示信号に対する前記情報処理装置からの応答を前記情報処理装置から無線受信する受信部と、
前記受信部が受信した応答が、前記情報処理装置において前記通信端末との間の情報の送受信が可能な状態にあり、かつ他に情報を送受信している通信端末が存在していないことを示すものである場合に限り、前記通信端末と前記情報処理装置との間の情報の送受信の制御を開始する端末通信制御部と、
を備え、
上記情報処理装置は、
無線端末から無線送信される信号を受信する受信部と、
前記受信部が受信した信号に、前記無線端末から接触通信または非接触通信を行う通信端末への通信を可能な状態に移行させる移行指示が含まれているかどうかを解析する信号解析部と、
前記信号解析部での解析の結果、前記移行指示が含まれている場合において、前記通信端末に対する通信処理が可能な状態にあり、かつ、情報を送受信している他の通信端末の存在が無いときに、前記移行指示に対する応答を生成する応答生成部と、
を備える、情報処理システム。
【発明の詳細な説明】
【技術分野】
【０００１】
本発明は、無線通信装置、情報処理装置、無線通信方法及び情報処理システムに関する。
【背景技術】
【０００２】
パーソナルコンピュータや家電機器、ＰＯＳ（Ｐｏｉｎｔ  Ｏｆ  Ｓａｌｅｓ）レジスタ等の情報処理装置に、接触通信または非接触通信が可能なＩＣチップを内蔵した端末（例えばＩＣ（Ｉｎｔｅｇｒａｔｅｄ  Ｃｉｒｃｕｉｔ）カードや携帯電話等）との間で読み書きを実行するリーダライタを有線で接続して、代金の支払いや、割引サービス、ポイントサービス等のサービスを提供する情報処理システムが広く普及している。また、リーダライタを接続した上記情報処理装置と、ネットワークで接続されたサーバとの間で情報を授受することで代金の支払いや各種サービスを提供することも同様に広く行われている。
【０００３】
また上記情報処理システムは、リーダライタを有線ではなく無線で上記情報処理装置と接続して使用する形態もある。例えば、パーソナルコンピュータ本体と無線で接続されるキーボードに、ＩＣチップ内蔵端末への読み書きを実行するリーダライタが内蔵されているような場合である。
【先行技術文献】
【特許文献】
【０００４】
【特許文献１】特開２００２-２７１７０３号公報
【発明の概要】
【発明が解決しようとする課題】
【０００５】
従来の無線接続される装置は、充電池によって電力が供給されることが多く、電力寿命が比較的長くなることが多かった。しかし、装置によっては電池によって電力を供給するものも少なくない。従って、電池によって電力が供給される装置にリーダライタを内蔵した場合に、リーダライタに常に電力を供給し続けていると電池の消耗が早くなってしまうという問題があった。またこのような電池によって電力が供給される装置にリーダライタを内蔵した場合には、電池の消耗速度を抑えるために他の装置からリーダライタを起動させる仕掛けを用意する必要があった。
【０００６】
そこで、本発明は、上記問題に鑑みてなされたものであり、本発明の目的とするところは、無線接続される装置に対する利用者の指示によってリーダライタの機能を開始することで消費電力を抑え、またリーダライタからの情報を、無線通信先の装置の状況に応じて送信することが可能な、新規かつ改良された無線通信装置、情報処理装置、無線通信方法及び情報処理システムを提供することにある。
【課題を解決するための手段】
【０００７】
上記課題を解決するために、本発明のある観点によれば、接触通信または非接触通信を行う通信端末に対する通信を可能な状態に移行させる移行指示を送出する端末通信移行部を含む操作部と、前記端末通信移行部によって送出される前記移行指示により前記通信端末に対する接触通信または非接触通信が可能な状態に移行する端末通信部と、前記移行指示に応じた移行指示信号を含む、前記操作部に対する操作に応じた信号を生成する信号生成部と、前記信号生成部が生成した移行指示信号を情報処理装置に対して無線送信する送信部と、前記送信部から送信した前記移行指示信号に対する前記情報処理装置からの応答を前記情報処理装置から無線受信する受信部と、前記受信部が受信した応答が、前記情報処理装置において前記通信端末との間の情報の送受信が可能な状態にあり、かつ他に情報を送受信している通信端末が存在していないことを示すものである場合に限り、前記通信端末と前記情報処理装置との間の情報の送受信の制御を開始する端末通信制御部と、を備える、無線通信装置が提供される。
【０００８】
かかる構成によれば、操作部は、接触通信または非接触通信を行う通信端末に対する通信を可能な状態に移行させる移行指示を送出する端末通信移行部を含み、端末通信部は、端末通信移行部によって送出される移行指示により通信端末に対する接触通信または非接触通信が可能な状態に移行する。また、信号生成部は、移行指示に応じた移行指示信号を含む、操作部に対する操作に応じた信号を生成し、送信部は、信号生成部が生成した移行指示信号を情報処理装置に対して無線送信し、受信部は、送信部から送信した移行指示信号に対する情報処理装置からの応答を情報処理装置から無線受信する。そして、端末通信制御部は、受信部が受信した応答が、情報処理装置において通信端末との間の情報の送受信が可能な状態にあり、かつ他に情報を送受信している通信端末が存在していないことを示すものである場合に限り、通信端末と情報処理装置との間の情報の送受信の制御を開始する。その結果、無線接続される装置に対する利用者の指示によって端末通信部の動作を開始させることで消費電力を抑えることができ、また、無線通信先の情報処理装置の状況に応じて、接触通信または非接触通信を行う通信端末と、無線通信先の情報処理装置との間の情報の送受信を開始させることができる。
【０００９】
前記通信端末と前記情報処理装置との間で情報を送受信している場合に前記操作部に対する操作がなされたときは、前記信号生成部は信号の生成を制限するようにしてもよい。
【００１０】
前記信号生成部は、前記端末通信部と前記通信端末との間の通信に影響しない操作が前記操作部に対してなされた場合には、該操作に応じた信号を生成するようにしてもよい。
【００１１】
前記端末通信制御部は、前記情報処理装置において前記通信端末との間の情報の送受信が可能な状態にないことを検知すると無線通信装置固有の情報を前記通信端末に対して送信するよう前記端末通信部を制御するようにしてもよい。
【００１２】
前記端末通信制御部は、前記受信部が受信した応答が、前記情報処理装置において前記通信端末との間の情報の送受信が可能な状態にあるが他に情報を送受信している通信端末が存在していることを示すものである場合には、無線通信装置固有の情報及び前記情報処理装置における動作状況に関する情報を前記通信端末に対して送信するよう前記端末通信部を制御するようにしてもよい。
【００１３】
前記動作状況に関する情報は視聴中の番組に関する情報であってもよい。
【００１４】
前記信号生成部は、前記端末通信部と前記通信端末との間の接触通信または非接触通信に影響しない操作が前記操作部に対してなされた場合には、該操作に応じた信号を生成するようにしてもよい。
【００１５】
また、上記課題を解決するために、本発明の別の観点によれば、無線端末から無線送信される信号を受信する受信部と、前記受信部が受信した信号に、前記無線端末から接触通信または非接触通信を行う通信端末への通信を可能な状態に移行させる移行指示が含まれているかどうかを解析する信号解析部と、前記信号解析部での解析の結果、前記移行指示が含まれている場合において、前記通信端末に対する通信処理が可能な状態にあり、かつ、情報を送受信している他の通信端末の存在が無いときに、前記移行指示に対する応答を生成する応答生成部と、を含む、情報処理装置が提供される。
【００１６】
また、上記課題を解決するために、本発明の別の観点によれば、接触通信または非接触通信を行う通信端末に対する通信を可能な状態に移行させる移行指示を送出する送出ステップと、前記送出ステップによって送出される前記移行指示により前記通信端末に対する接触通信または非接触通信が可能な状態に移行する移行ステップと、前記移行指示に応じた移行指示信号を生成する信号生成ステップと、前記信号生成ステップが生成した前記移行指示信号を情報処理装置に対して無線送信する送信ステップと、前記送信ステップで送信した前記移行指示信号に対する応答を前記情報処理装置から無線受信する受信ステップと、前記受信ステップで受信した応答が、前記情報処理装置において前記通信端末との間の情報の送受信が可能な状態にあり、かつ他に情報を送受信している通信端末が存在していないことを示すものである場合に限り、前記通信端末と前記情報処理装置との間の情報の送受信の制御を開始する制御ステップと、を備える、無線通信方法が提供される。
【００１７】
また、上記課題を解決するために、本発明の別の観点によれば、無線によって信号を送受信する無線通信装置と、前記無線通信装置との間で無線によって信号を送受信する情報処理装置と、を含み、前記無線通信装置は、接触通信または非接触通信を行う通信端末に対する通信を可能な状態に移行させる移行指示を送出する端末通信移行部を含む操作部と、前記端末通信移行部によって送出される前記移行指示により前記通信端末に対する接触通信または非接触通信が可能な状態に移行する端末通信部と、前記移行指示に応じた移行指示信号を含む、前記操作部に対する操作に応じた信号を生成する信号生成部と、前記信号生成部が生成した移行指示信号を情報処理装置に対して無線送信する送信部と、前記送信部から送信した前記移行指示信号に対する前記情報処理装置からの応答を前記情報処理装置から無線受信する受信部と、前記受信部が受信した応答が、前記情報処理装置において前記通信端末との間の情報の送受信が可能な状態にあり、かつ他に情報を送受信している通信端末が存在していないことを示すものである場合に限り、前記通信端末と前記情報処理装置との間の情報の送受信の制御を開始する端末通信制御部と、を備え、上記情報処理装置は、無線端末から無線送信される信号を受信する受信部と、前記受信部が受信した信号に、前記無線端末から接触通信または非接触通信を行う通信端末への通信を可能な状態に移行させる移行指示が含まれているかどうかを解析する信号解析部と、前記信号解析部での解析の結果、前記移行指示が含まれている場合において、前記通信端末に対する通信処理が可能な状態にあり、かつ、情報を送受信している他の通信端末の存在が無いときに、前記移行指示に対する応答を生成する応答生成部と、を備える、情報処理システムが提供される。
【発明の効果】
【００１８】
以上説明したように本発明によれば、無線接続される装置に対する利用者の指示によってリーダライタの機能を開始し、またリーダライタからの情報を、無線通信先の装置の状況に応じて送信することが可能な、新規かつ改良された無線通信装置、情報処理装置、無線通信方法及び情報処理システムを提供することができる。
【図面の簡単な説明】
【００１９】
【図１】本発明の一実施形態にかかる情報処理システム１０の構成について示す説明図である。
【図２】本発明の一実施形態にかかるテレビ受像機１００の構成について示す説明図である。
【図３】本発明の一実施形態にかかるテレビ受像機１００に含まれる制御部１１０の構成について示す説明図である。
【図４】本発明の一実施形態にかかるリモートコントローラ２００の構成について示す説明図である。
【図５】本発明の一実施形態にかかるリモートコントローラ２００の外観の一例について示す説明図である。
【図６】本発明の一実施形態にかかるリモートコントローラ２００に含まれる制御部２１０の構成について示す説明図である。
【図７】本発明の一実施形態にかかる情報処理システム１０を用いたＩＣカードアクセス処理について示す流れ図である。
【図８】本発明の一実施形態にかかる情報処理システム１０を用いたＩＣカードアクセス処理の別の例について示す流れ図である。
【図９】本発明の一実施形態にかかる情報処理システム１０を用いたＩＣカードアクセス処理について示す流れ図である。
【発明を実施するための形態】
【００２０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２１】
また、以下の順序に従って本発明の好適な実施の形態について詳細に説明する。
＜１．本発明の一実施形態＞
［１−１．情報処理システムの構成］
［１−２．テレビ受像機の構成］
［１−３．テレビ受像機に含まれる制御部の構成］
［１−４．リモートコントローラの構成］
［１−５．リモートコントローラに含まれる制御部の構成］
［１−６．ＩＣカードアクセス処理］
＜２．まとめ＞
【００２２】
＜１．本発明の一実施形態＞
［１−１．情報処理システムの構成］
まず、本発明の一実施形態に係る情報処理システムの構成について説明する。図１は、本発明の一実施形態にかかる情報処理システム１０の構成について示す説明図である。以下、図１を用いて本発明の一実施形態に係る情報処理システム１０の構成に付いて説明する。
【００２３】
図１に示したように、本発明の一実施形態にかかる情報処理システム１０は、テレビ受像機１００と、リモートコントローラ２００と、サーバ３００と、を含んで構成される。
【００２４】
テレビ受像機１００は、本発明の情報処理装置の一例である。テレビ受像機１００は、放送波を受信し、受信した放送波に基づいた映像を画面に表示するものである。本実施形態にかかるテレビ受像機１００はインターネットのような双方向のネットワーク２０に接続する機能を有しており、ネットワーク２０を介してサーバ３００との間でデータの送受信を行うことができる。
【００２５】
また、テレビ受像機１００は、リモートコントローラ２００からの無線信号に応じた動作を実行する。テレビ受像機１００が実行するリモートコントローラ２００からの無線信号に応じた動作とは、例えば電源のオン・オフ、放送波（地上アナログ放送、地上デジタル放送、ＢＳデジタル放送、ＣＳデジタル放送）の切り替え、受信するチャンネルの切り替え、音量の調節、メニュー画面の表示等である。
【００２６】
さらに、テレビ受像機１００は、無線信号を送出したリモートコントローラ２００に対する応答を無線で送出する機能を有する。無線信号を送出したリモートコントローラ２００に対する応答をテレビ受像機１００から無線で送出することで、テレビ受像機１００とリモートコントローラ２００との間で情報の授受が可能となる。
【００２７】
リモートコントローラ２００は、本発明の無線通信装置の一例である。リモートコントローラ２００は、テレビ受像機１００を遠隔操作するためのものである。リモートコントローラ２００の一の面にはテレビ受像機１００を遠隔操作するためのボタンが複数配置されている。また、リモートコントローラ２００は、無線によって信号を送出する機能を有しており、配置されたボタンを操作者が押下することで、押下したボタンに応じた信号が無線によってリモートコントローラ２００から送出される。リモートコントローラ２００から無線で送出された信号をテレビ受像機１００が受信することで、リモートコントローラ２００からテレビ受像機１００を遠隔操作することができる。
【００２８】
そして、本実施形態にかかるリモートコントローラ２００は、接触通信または非接触通信が可能なＩＣチップとの間で情報を伝送するためのＩＣリーダライタを備えている。本実施形態においては、非接触通信が可能なＩＣチップを内蔵した通信機器（例えば、ＩＣカードや携帯電話等）をＩＣリーダライタにかざすことで、当該通信機器とリモートコントローラ２００との間で非接触通信を行うことができる。また、ＩＣチップを内蔵した通信機器とリモートコントローラ２００との間で非接触通信を行うことで、当該通信機器とテレビ受像機１００との間の、リモートコントローラ２００を介した通信が可能となる。図１では、非接触通信が可能なＩＣチップを内蔵した通信機器として携帯電話４００を示している。なお、接触通信または非接触通信が可能なＩＣチップを内蔵した通信機器は携帯電話に限られないことは言うまでも無い。
【００２９】
サーバ３００は、テレビ受像機１００とネットワーク２０を介して接続されており、テレビ受像機１００との間で、データを双方向で送受信することができるものである。本実施形態にかかるサーバ３００は、ＩＣチップを内蔵した通信機器との間で各種処理（例えば、代金の決済、残高・ポイント残高の照会等）を行うことが出来る。サーバ３００がテレビ受像機１００とネットワーク２０を介して接続されていることで、携帯電話４００をリモートコントローラ２００のＩＣリーダライタにかざすと、携帯電話４００とサーバ３００との間の通信が可能となる。この通信は、テレビ受像機１００及びリモートコントローラ２００を介した、携帯電話４００とサーバ３００との間の通信である。
【００３０】
以上、本発明の一実施形態にかかる情報処理システム１０の構成について説明した。次に、本発明の一実施形態にかかるテレビ受像機１００の構成について説明する。
【００３１】
［１−２．テレビ受像機の構成］
図２は、本発明の一実施形態にかかるテレビ受像機１００の構成について示す説明図である。以下、図２を用いて本発明の一実施形態にかかるテレビ受像機１００の構成について説明する。
【００３２】
図２に示したように、本発明の一実施形態にかかるテレビ受像機１００は、制御部１１０と、放送受信部１２０と、出力部１３０と、ネットワーク接続部１４０と、リモートコントローラ通信部１５０と、を含んで構成される。
【００３３】
制御部１１０は、テレビ受像機１００の内部の各部の制御に用いられるものである。制御部１１０として、例えばＣＰＵ（Ｃｅｎｔｒａｌ  Ｐｒｏｃｅｓｓｉｎｇ  Ｕｎｉｔ）やＭＰＵ（Ｍｉｃｒｏ  Ｐｒｏｃｅｓｓｉｎｇ  Ｕｎｉｔ）等を用いてもよい。
【００３４】
放送受信部１２０は、放送局から送信されてくる放送波の受信処理を実行するものである。放送局から送信され、ＶＨＦアンテナ、ＵＨＦアンテナ、パラボラアンテナ等の放送波受信用アンテナで受信された放送波をテレビ受像機１００で受信すると、放送受信部１２０が、受信した放送波から映像や音声を再生する。放送受信部１２０には、例えばテレビ受像機１００が受信した放送波に含まれる映像信号や音声信号をデコードして映像データや音声データを出力する映像デコーダや音声デコーダ、放送波に含まれる電子番組表（ＥＰＧ）情報から電子番組表データを生成するＥＰＧデコーダ等が含まれていてもよい。放送受信部１２０によって再生されたて映像データや音声データ、及び復号された電子番組表データは出力部１３０に送られる。
【００３５】
出力部１３０は、放送受信部１２０によって再生された映像データや音声データ等に基づいて映像を表示したり音声を出力したりするものである。出力部１３０は、映像を表示するための、液晶表示装置や有機ＥＬ（Ｅｌｅｃｔｒｏ−Ｌｕｍｉｎｅｓｃｅｎｃｅ）表示装置その他のディスプレイや音声を表示するためのスピーカが含まれる。なお、本実施形態においては、本発明の情報処理装置の一例としてテレビ受像機１００を挙げているので、テレビ受像機１００の内部に出力部１３０を設けているが、本発明は係る例に限定されないことは言うまでも無い。
【００３６】
ネットワーク接続部１４０は、ネットワーク２０に接続して、ネットワーク２０に向けてデータを送出したり、ネットワーク２０より送られてくるデータを受信したりするものである。本実施形態では、テレビ受像機１００からサーバ３００に送られるデータはネットワーク接続部１４０から送出され、サーバ３００からテレビ受像機１００に送られるデータはネットワーク接続部１４０で受信される。
【００３７】
リモートコントローラ通信部１５０は、リモートコントローラ２００との間で無線による通信を行うものである。リモートコントローラ通信部１５０は、リモートコントローラ２００から無線で送信される信号を受信すると、受信した信号を制御部１１０に伝送する。制御部１１０は、リモートコントローラ通信部１５０で受信した信号を解析し、受信した信号に応じた動作をするように制御する。
【００３８】
また、テレビ受像機１００からリモートコントローラ２００に対して信号を送信する必要が生じた場合には、制御部１１０の制御により、リモートコントローラ通信部１５０から無線で信号を送出する。リモートコントローラ通信部１５０による無線信号の送受信によりテレビ受像機１００とリモートコントローラ２００との間の通信が可能となる。
【００３９】
以上、本発明の一実施形態にかかるテレビ受像機１００の構成について説明した。次に、本発明の一実施形態にかかるテレビ受像機１００に含まれる制御部１１０の構成について説明する。
【００４０】
図３は、本発明の一実施形態にかかるテレビ受像機１００に含まれる制御部１１０の構成について示す説明図である。以下、図３を用いて本発明の一実施形態にかかるテレビ受像機１００に含まれる制御部１１０の構成について説明する。
【００４１】
［１−３．テレビ受像機に含まれる制御部の構成］
図３に示したように、本発明の一実施形態にかかる制御部１１０は、ブラウザ表示部１１２と、ＩＣカードアクセス処理部１１４と、リモートコントローラ制御部１１６と、を含んで構成される。
【００４２】
ブラウザ表示部１１２は、出力部１３０に対するブラウザの表示を制御し、また出力部１３０に表示させたブラウザに対する情報の表示を制御するものである。ブラウザ表示部１１２は、ＨＴＭＬ（ＨｙｐｅｒＴｅｘｔ  Ｍａｒｋｕｐ  Ｌａｎｇｕａｇｅ）やＢＭＬ（Ｂｒｏａｄｃａｓｔ  Ｍａｒｋｕｐ  Ｌａｎｇｕａｇｅ）によって記述されたコンテンツを出力部１３０に表示する機能を有している。
【００４３】
ＩＣカードアクセス処理部１１４は、サーバ３００と携帯電話４００に内蔵されたＩＣチップとの間で情報のやり取りを仲介するための処理を実行するものである。本実施形態にかかる情報処理システム１０では、サーバ３００と携帯電話４００に内蔵されたＩＣチップとの間で直接情報のやり取りは行わない。本実施形態にかかる情報処理システム１０では、テレビ受像機１００の制御部１１０によって動作が制御されるＩＣカードアクセス処理部１１４によって情報のやり取りを行う。
【００４４】
ＩＣカードアクセス処理部１１４は、ブラウザ表示部１１２によって出力部１３０に表示されたコンテンツの内容に応じて、ＩＣカードアクセス処理部１１４の動作が有効な状態、すなわち、情報のやり取りの仲介が可能な状態となるようにしてもよい。例えば、ブラウザ表示部１１２によって出力部１３０に表示されたコンテンツが、商品の購入ページであった場合を考える。この場合において、ユーザが携帯電話４００に内蔵されたＩＣチップによって商品の購入ページに表示された商品の決済を希望したときに、ＩＣカードアクセス処理部１１４の動作が有効となるようにしてもよい。もちろん、ＩＣカードアクセス処理部１１４の動作が有効な状態となるには、かかる例に限定されないことは言うまでも無い。
【００４５】
リモートコントローラ制御部１１６は、リモートコントローラ２００から無線送信された信号の内容を解析し、解析結果に応じてテレビ受像機１００の各部の動作を制御するものである。例えば、リモートコントローラ２００から無線送信された信号が音量を大きくするための信号であれば、リモートコントローラ制御部１１６は、信号に応じて出力部１３０から出力される音量を上げるように出力部１３０に対して指示を送出する。リモートコントローラ制御部１１６からの指示を受けた出力部１３０は、当該指示に応じて、出力部１３０から出力する音の音量を上げる。
【００４６】
また例えば、リモートコントローラ２００から無線送信された信号が、リモートコントローラ２００のリーダライタ機能を開始することを通知する信号であれば、リモートコントローラ制御部１１６は、信号に応じてＩＣカードアクセス処理部１１４の動作の状態を確認する。ＩＣカードアクセス処理部１１４の動作が有効な状態であれば、リモートコントローラ制御部１１６は、当該信号を送出したリモートコントローラ２００に対してＩＣカードアクセス処理部１１４の動作が有効な状態である旨のメッセージを送出するように、リモートコントローラ通信部１５０に対して指示する。
【００４７】
以上、本発明の一実施形態にかかるテレビ受像機１００に含まれる制御部１１０の構成について説明した。次に、本発明の一実施形態にかかるリモートコントローラ２００の構成について説明する。
【００４８】
［１−４．リモートコントローラの構成］
図４は、本発明の一実施形態にかかるリモートコントローラ２００の構成について示す説明図である。以下、図４を用いて、本発明の一実施形態にかかるリモートコントローラ２００の構成について説明する。
【００４９】
図４に示したように、本発明の一実施形態にかかるリモートコントローラ２００は、制御部２１０と、ボタン部２２０と、通信部２３０と、ＩＣカードアクセス部２４０と、を含んで構成される。
【００５０】
制御部２１０は、リモートコントローラ２００の内部の各部の制御に用いられるものである。制御部２１０として、例えばＣＰＵやＤＳＰ（Ｄｉｇｉｔａｌ  Ｓｉｇｎａｌ  Ｐｒｏｃｅｓｓｏｒ）等を用いてもよい。
【００５１】
ボタン部２２０は、テレビ受像機１００を遠隔操作したり、リモートコントローラ２００のリーダライタ機能を開始したりするための各種ボタンが含まれているものである。テレビ受像機１００を遠隔操作するボタンとしては、例えばテレビ受像機１００の電源を入れたり切ったりするための電源ボタン、テレビ受像機１００から出力される音量を調節するための音量ボタン、テレビ受像機１００で視聴するチャンネルを選択するためのチャンネルボタン等がある。ユーザがボタン部２２０を構成する各ボタンを押下すると、制御部２１０において、押下されたボタンに対応した信号が生成される。
【００５２】
通信部２３０は、テレビ受像機１００との間で無線による通信を行うものである。ユーザがボタン部２２０を構成するボタンを押下すると、制御部２１０において、押下されたボタンに対応した信号が生成され、制御部２１０で生成された信号が通信部２３０からテレビ受像機１００へ向けて無線送信される。また、テレビ受像機１００からリモートコントローラ２００へ向けて無線信号が送出された場合には、通信部２３０はその無線信号を受信して制御部２１０へ伝送する。
【００５３】
ＩＣカードアクセス部２４０は、本発明の端末通信部の一例である。ＩＣカードアクセス部２４０は、非接触通信が可能なＩＣチップを内蔵した端末（例えば携帯電話４００）との間で非接触通信を行うものである。図４には図示しないが、ＩＣカードアクセス部２４０には、例えば、携帯電話４００との間でデータの送受信を実行するリーダライタアンテナ部、携帯電話４００へ送信するデータを変調するための変調部、携帯電話４００から送信されたデータを復調するための復調部等が含まれていてもよい。
【００５４】
図５は、本発明の一実施形態にかかるリモートコントローラ２００の外観の一例について示す説明図である。
【００５５】
図５に示した例では、リモートコントローラ２００の一の面に、ボタン部２２０と、リーダライタアンテナ部２５０と、が設けられている。そして、ボタン部２２０には、リモートコントローラ２００のリーダライタ機能を有効にするためのＩＣカードボタン２２２が設けられている。ユーザがＩＣカードボタン２２２を押下していない状態では、リモートコントローラ２００のリーダライタ機能は有効となっていない（すなわち、リーダライタアンテナ部２５０はポーリング動作を実行していない）。従って、リモートコントローラ２００のリーダライタ機能が無効の状態でリーダライタアンテナ部２５０に携帯電話４００をかざしても、リモートコントローラ２００と携帯電話４００との間で非接触通信を行うことが出来ない。ユーザがＩＣカードボタン２２２を押下すると、リモートコントローラ２００のリーダライタ機能が有効となる（すなわち、リーダライタアンテナ部２５０はポーリング動作を開始する）。リモートコントローラ２００のリーダライタ機能が有効である状態でリーダライタアンテナ部２５０に携帯電話４００をかざすと、リモートコントローラ２００と携帯電話４００との間で非接触通信を行うことが出来る。
【００５６】
図５に示した例では、リーダライタアンテナ部２５０の状態を把握するためのライト２５２がリモートコントローラ２００の一の面に設けられている。ライト２５２は、リモートコントローラ２００のリーダライタ機能が無効の状態には消灯し、ＩＣカードボタン２２２が押されると点灯するようにしてもよい。携帯電話４００に内蔵されたＩＣチップとテレビ受像機１００との間でデータの送受信が行われている場合には、ランプを予め定めた色Ａで点滅させるか、または予め定めた点滅間隔Ｂで点滅させてもよい。そして、リモートコントローラ２００と携帯電話４００との間でデータの送受信が行われている場合には上記の色Ａとは別の色Ｃで点滅させるか、または上記の点滅間隔Ｂとは異なる点滅間隔Ｄで点滅させてもよい。
【００５７】
なお、図５に示した例では、リーダライタアンテナ部２５０の状態を把握するために、ライト２５２をリモートコントローラ２００の一の面に設けていたが、本発明ではかかる例に限定されないことは言うまでも無い。例えば、ＩＣカードボタン２２２にライトを設けても良く、リーダライタアンテナ部２５０にライトを設けても良い。
【００５８】
ＩＣカードアクセス部２４０は、ユーザがＩＣカードボタン２２２を押下するまでは、リモートコントローラ２００の動作電源（例えば乾電池）からの電力供給は行われていない。ユーザによるＩＣカードボタン２２２の押下によって初めてＩＣカードアクセス部２４０への通電が行われる。ＩＣカードボタン２２２の押下によって始めてＩＣカードアクセス部２４０への通電が行われることで、リモートコントローラ２００の電力消費を抑えることが出来る。
【００５９】
以上、本発明の一実施形態にかかるリモートコントローラ２００の構成について説明した。次に、本発明の一実施形態にかかるリモートコントローラ２００に含まれる制御部２１０の構成について説明する。
【００６０】
［１−５．リモートコントローラに含まれる制御部の構成］
図６は、本発明の一実施形態にかかるリモートコントローラ２００に含まれる制御部２１０の構成について示す説明図である。以下、図６を用いて本発明の一実施形態にかかるリモートコントローラ２００に含まれる制御部２１０の構成について説明する。
【００６１】
図６に示したように、本発明の一実施形態にかかるリモートコントローラ２００に含まれる制御部２１０は、通信制御部２１２と、ＩＣカードアクセス制御部２１４と、を含んで構成される。
【００６２】
通信制御部２１２は、本発明の信号生成部の一例である。通信制御部２１２は、リモートコントローラ２００からテレビ受像機１００へ向けた無線通信を制御するものである。通信制御部２１２は、例えばユーザがボタン部２２０に設けられたボタンを押下すると、押下されたボタンに応じた信号を生成する。通信制御部２１２が生成した信号は、通信部２３０からテレビ受像機１００へ向けて無線送信される。また通信制御部２１２は、テレビ受像機１００から無線送信され、通信部２３０で受信した信号の内容を解析する。制御部２１０は、通信制御部２１２で解析された信号の内容に応じてリモートコントローラ２００の動作を制御する。
【００６３】
ＩＣカードアクセス制御部２１４は、本発明の端末通信制御部の一例である。ＩＣカードアクセス制御部２１４は、ＩＣカードアクセス部２４０による携帯電話４００へのアクセス処理（例えば、ＩＣチップに対する読み書きなどのＩＣカードコマンド送受信処理）を制御するものである。ＩＣカードアクセス制御部２１４によるアクセス処理の制御によって、リモートコントローラ２００のリーダライタアンテナ部２５０に携帯電話４００がかざされた場合に、リモートコントローラ２００から携帯電話４００に対してアクセスすることができる。
【００６４】
以上、本発明の一実施形態にかかるリモートコントローラ２００に含まれる制御部２１０の構成について説明した。次に、本発明の一実施形態にかかる情報処理システム１０を用いた、ＩＣカードアクセス処理について説明する。
【００６５】
［１−６．ＩＣカードアクセス処理］
図７は、本発明の一実施形態にかかる情報処理システム１０を用いたＩＣカードアクセス処理について示す流れ図である。なお、本実施形態における「ＩＣカードアクセス処理」は、携帯電話４００に内蔵されたＩＣチップにアクセスして、ＩＣチップへ情報を読み書きするための処理を示すものとする。以下、図７を用いて、本発明の一実施形態にかかる情報処理システム１０を用いたＩＣカードアクセス処理について説明する。
【００６６】
本発明の一実施形態にかかる情報処理システム１０を用いたＩＣカードアクセス処理は、リモートコントローラ２００に設けられたＩＣカードボタン２２２の押下によって開始される（ステップＳ１０２）。リモートコントローラ２００に設けられたＩＣカードボタン２２２が押下されると、ＩＣカードボタン２２２の押下を制御部２１０で検知し、通信制御部２１２においてＩＣカードボタン２２２が押下されたことを示す信号を生成する。そして、通信制御部２１２が生成した、ＩＣカードボタン２２２が押下されたことを示す信号は、通信部２３０からテレビ受像機１００へ向けて無線送信される。なお、リモートコントローラ２００からは、ＩＣカードボタン２２２が押下されたことを示す信号以外にも、リモートコントローラ２００を識別するための情報（例えば一意に識別するための機器ＩＤ情報）が、併せてテレビ受像機１００へ向けて無線送信される（ステップＳ１０４）。
【００６７】
リモートコントローラ２００では、ＩＣカードボタン２２２が押下されると、ＩＣカードボタン２２２が押下されたことをユーザに対して分かりやすく示すために、ライト２５２を点灯させる。ライト２５２の点灯は、例えばＩＣカードアクセス制御部２１４によって実行されるようにしてもよい。
【００６８】
テレビ受像機１００は、リモートコントローラ２００から無線送信された信号をリモートコントローラ通信部１５０で受信する。リモートコントローラ通信部１５０がリモートコントローラ２００からの信号を受信すると、制御部１１０は受信した信号の内容を解析する。制御部１１０による解析の結果、リモートコントローラ２００から無線送信された信号が、ＩＣカードボタン２２２が押下されたことを示す信号であり、リモートコントローラ２００を識別するための情報が含まれている場合には、テレビ受像機１００がＩＣカードアクセス処理部１１４の動作が有効な状態であるかどうかを、制御部１１０で判断する（ステップＳ１０６）。ステップＳ１０６における判断の結果、ＩＣカードアクセス処理部１１４の動作が有効な状態であると制御部１１０で判断した場合には、制御部１１０はＩＣカードアクセス処理部１１４に対して、リモートコントローラ２００を識別する情報を伝送する。ＩＣカードアクセス処理部１１４は、リモートコントローラ２００を識別する情報を受け取ると、当該情報を保持し、テレビ受像機１００とリモートコントローラ２００との間のＩＣカードアクセス処理と、ＩＣカードアクセス処理のトランザクション制御を開始する。
【００６９】
テレビ受像機１００とリモートコントローラ２００との間のＩＣカードアクセス処理は、例えば以下の手順によって開始される。ＩＣカードアクセス処理部１１４が、リモートコントローラ２００を識別する情報を保持すると、リモートコントローラ制御部１１６に対してリモートコントローラ２００への応答信号の生成を指示する。当該応答信号は、ＩＣカードアクセス処理が可能であることを示す信号である。リモートコントローラ制御部１１６でリモートコントローラ２００への応答信号が生成されると、生成された応答信号はリモートコントローラ通信部１５０からリモートコントローラ２００へ向けて無線送信される。リモートコントローラ２００がテレビ受像機１００から送信された信号を受信することで、テレビ受像機１００とリモートコントローラ２００との間のＩＣカードアクセス処理が開始されることになる。
【００７０】
テレビ受像機１００では、ＩＣカードアクセス処理部１１４は、リモートコントローラ制御部１１６を介して、リモートコントローラ２００のＩＣカードアクセス制御部２１４、ＩＣカードアクセス部２４０を経由した、リモートコントローラ２００にかざされた携帯電話４００に対するアクセス処理を実行する。また、ＩＣカードアクセス処理部１１４は、サーバ３００から受信したコンテンツやプログラムに対する処理を実行する。そしてＩＣカードアクセス処理部１１４は、リモートコントローラ制御部１１６を介して、リモートコントローラ２００のＩＣカードアクセス制御部２１４、ＩＣカードアクセス部２４０を経由した、リモートコントローラ２００にかざされた携帯電話４００に対するアクセス処理を実行する。
【００７１】
ところで、本実施形態にかかる情報処理システムにおいては、テレビ受像機１００を遠隔操作するためのリモートコントローラは１つに限られない。本実施形態にかかる情報処理システムにおいては、２つ以上のリモートコントローラを同時に使用してテレビ受像機１００を遠隔操作する場合もある。かかる場合において、どのリモートコントローラとの間でＩＣカードに対するアクセス処理を実行すべきかをテレビ受像機１００が適切に判断できないと、テレビ受像機１００が意図しないＩＣカードに対するアクセスを行ってしまうおそれがある。従って、ＩＣカードアクセス処理部１１４によるＩＣカードアクセス処理のトランザクション制御が重要になる。
【００７２】
上記ステップＳ１０６における判断の結果、ＩＣカードアクセス処理部１１４の動作が有効な状態であると制御部１１０で判断した場合には、次に、テレビ受像機１００で、既にＩＣカードアクセス処理部１１４によるＩＣカードアクセス処理が実行中であるかどうかを制御部１１０で判断する（ステップＳ１０８）。ＩＣカードアクセス処理部１１４によるＩＣカードアクセス処理が実行中であるかどうかは、例えば、ＩＣカードアクセス処理部１１４が既にリモートコントローラ２００を識別する情報を保持しているかどうかで判断してもよい。
【００７３】
上記ステップＳ１０８における判断の結果、ＩＣカードアクセス処理部１１４によるＩＣカードアクセス処理が実行中で無いと制御部１１０で判断した場合には、ＩＣカードボタン２２２が押下されたリモートコントローラ２００の識別情報をテレビ受像機１００の内部で保持する（ステップＳ１１０）。当該情報は、上述したようにＩＣカードアクセス処理部１１４で保持する。リモートコントローラ２００の識別情報がテレビ受像機１００の内部に保持されると、テレビ受像機１００とリモートコントローラ２００との間のＩＣカードアクセス処理と、ＩＣカードアクセス処理のトランザクション制御とが開始される（ステップＳ１１２）。
【００７４】
一方、上記ステップＳ１０６における判断の結果、ＩＣカードアクセス処理部１１４の動作が有効な状態であると制御部１１０で判断した場合、または、上記ステップＳ１０８における判断の結果、ＩＣカードアクセス処理部１１４によるＩＣカードアクセス処理が既に実行中であると制御部１１０で判断した場合には、テレビ受像機１００は、ＩＣカードボタン２２２が押下されたリモートコントローラ２００に対する応答は行わない。テレビ受像機１００は、リモートコントローラ２００から受信したリモートコントローラ２００の識別情報を破棄する（ステップＳ１１４）。ＩＣカードボタン２２２が押下されたリモートコントローラ２００は、テレビ受像機１００からの応答の到達を所定の時間待機する。そして、テレビ受像機１００からの応答が無ければ、リモートコントローラ２００は、携帯電話４００がかざされても、テレビ受像機１００とリモートコントローラ２００との間のＩＣカードアクセス処理を行わない。
【００７５】
なお、図７に示した本発明の一実施形態にかかる情報処理システム１０を用いたＩＣカードアクセス処理では、上記ステップＳ１１４において、テレビ受像機１００は受信したリモートコントローラ２００の識別情報を破棄していたが、本発明は係る例に限定されない。図８は、図７に示した本発明の一実施形態にかかる情報処理システム１０を用いたＩＣカードアクセス処理の別の例について示す流れ図である。
【００７６】
図８では、図７に示したステップＳ１１４の処理に変えて、テレビ受像機１００で保持している、現在視聴している番組の情報やテレビ受像機１００に登録された機器登録情報を、テレビ受像機１００からリモートコントローラ２００へ送信する処理を行っている（ステップＳ１２４）。現在視聴している番組の情報としては、例えば、チャンネル情報や時刻情報等がある。また、テレビ受像機１００に登録された機器登録情報としては、例えば、ユーザがテレビ受像機１００に登録した郵便番号や、現在地情報等がある。なお、テレビ受像機１００は、番組情報だけではなく、適切なＵＲＬ情報などのインターネットに接続するための情報についても、リモートコントローラ２００に対して送信しても良い。また、上記機器登録情報の例として挙げた現在地情報は、テレビ受像機１００にＧＰＳ（Ｇｌｏｂａｌ  Ｐｏｓｉｔｉｏｎｉｎｇ  Ｓｙｓｔｅｍ）機能を内蔵している場合には、当該ＧＰＳ機能を用いて取得した現在地情報であってもよい。
【００７７】
テレビ受像機１００から上記ステップＳ１２４において送信された情報をリモートコントローラ２００で受信すると、リモートコントローラ２００は、リーダライタアンテナ部２５０にかざされた携帯電話４００へ、受信した情報を送信することができる。
【００７８】
図９は、複数のリモートコントローラ２００からテレビ受像機１００に対するＩＣカードアクセス処理の開始要求が行われた場合における、本発明の一実施形態にかかる情報処理システム１０を用いたＩＣカードアクセス処理について示す流れ図である。
【００７９】
図９のステップＳ１０２及びステップＳ１０４は、図７及び図８に示した流れ図におけるステップＳ１０２及びステップＳ１０４と同様の処理であるので、詳細な説明は省略する。ＩＣカードボタン２２２が押下され、リモートコントローラ２００からテレビ受像機１００へ信号が無線送信されると、ＩＣカードボタン２２２の押下に応じたテレビ受像機１００でのＩＣカードアクセス処理が開始されたかどうかを制御部１１０で判断する（ステップＳ１３２）。ステップＳ１３２での判断の結果、ＩＣカードアクセス処理が開始されたと判断されれば、テレビ受像機１００とリモートコントローラ２００の間でＩＣカードアクセス処理を実施する（ステップＳ１３４）。ＩＣカードアクセス処理が開始される場合とは、すなわち、ＩＣカードアクセス処理部１１４の動作が有効な状態であり、他にＩＣカードアクセス処理を実施しているリモートコントローラが無い場合である。
【００８０】
一方、上記ステップＳ１３２での判断の結果、ＩＣカードボタン２２２の押下に応じたテレビ受像機１００でのＩＣカードアクセス処理が開始されなかったと判断されれば、続いて、テレビ受像機１００からリモートコントローラ２００へ応答があったかどうかを、リモートコントローラ２００の制御部２１０で判断する（ステップＳ１３６）。ステップＳ１３４における判断の結果、テレビ受像機１００からの応答があったと判断されれば、テレビ受像機１００から受信した情報を、リモートコントローラ２００で保持している情報と併せて、リモートコントローラ２００から、リーダライタアンテナ部２５０にかざされている携帯電話４００へ送信する（ステップＳ１３８）。一方、ステップＳ１３４における判断の結果、テレビ受像機１００からの応答が無かったと判断されれば、リモートコントローラ２００で保持している情報のみを、リモートコントローラ２００から、リーダライタアンテナ部２５０にかざされている携帯電話４００へ送信する（ステップＳ１４０）。
【００８１】
このように、リモートコントローラ２００のＩＣカードボタン２２２が押下されても、テレビ受像機１００でＩＣカードボタン２２２の押下に応じたＩＣカードアクセス処理が開始されなかった場合には、リモートコントローラ２００は、テレビ受像機１００からの応答の有無によって、携帯電話４００へ送信する情報を変化させる。ここで、テレビ受像機１００でＩＣカードボタン２２２の押下に応じたＩＣカードアクセス処理が開始されなかった場合としては、既に他のリモートコントローラとＩＣカードアクセス処理が実行中である場合等である。携帯電話４００は、リモートコントローラ２００から送信された情報を用いてその後の処理（例えばインターネットへのアクセス等）を実行することができる。
【００８２】
次に、本発明の一実施形態にかかる情報処理システム１０における、ＩＣカードアクセス処理中におけるリモートコントローラ２００の操作制御について説明する。ＩＣカードボタン２２２が押下され、リーダライタアンテナ部２５０にかざされている携帯電話４００に対するＩＣカードアクセス処理が実行されている場合に、リモートコントローラ２００のボタン部２２０をユーザが操作すると、ＩＣカードアクセス処理が中断してしまうおそれがある。例えば、誤ってユーザがリモートコントローラ２００のボタン部２２０に設けられる電源ボタンを押下してしまうと、テレビ受像機１００の電源が落とされてしまい、ＩＣカードアクセス処理が中断してしまう。そのため、リモートコントローラ２００のボタン部２２０が操作されても、ＩＣカードアクセス処理の実行中には、ＩＣカードアクセス処理に影響を及ぼすような機能は制限することが望ましい。
【００８３】
例えば、テレビ受像機１００とリモートコントローラ２００との間でＩＣカードアクセス処理が実行されている場合に、ユーザによってリモートコントローラ２００のボタン部２２０が操作され、操作されたボタンに対応した信号がリモートコントローラ２００からテレビ受像機１００へ無線送信された場合を考える。かかる場合において、リモートコントローラ２００から無線送信された信号をテレビ受像機１００で受信しても、テレビ受像機１００は受信した信号を破棄する。また例えば、テレビ受像機１００とリモートコントローラ２００との間でＩＣカードアクセス処理が実行されている場合に、他のリモートコントローラ２００からボタン部２２０の操作に基づく信号がテレビ受像機１００へ無線送信された場合を考える。かかる場合においても、テレビ受像機１００との間でＩＣカードアクセス処理を実行していない他のリモートコントローラ２００から無線送信された信号をテレビ受像機１００で受信しても、テレビ受像機１００は受信した信号を破棄する。このようにテレビ受像機１００は受信した信号を破棄することで、テレビ受像機１００とリモートコントローラ２００との間でＩＣカードアクセス処理が実行されている場合に、ユーザによってリモートコントローラ２００のボタン部２２０が操作されたときであっても、ＩＣカードアクセス処理に影響を及ぼさない。
【００８４】
なお、テレビ受像機１００とリモートコントローラ２００との間でＩＣカードアクセス処理が実行されている場合に、ＩＣカードアクセス処理を解除するためのボタンがリモートコントローラ２００で押下された場合には、テレビ受像機１００は当該押下に応じてリモートコントローラ２００から無線送信された信号に基づいて、ＩＣカードアクセス処理を停止させてもよい。ＩＣカードアクセス処理を解除するためのボタンは、ＩＣカードボタン２２２であってもよく、ＩＣカードボタン２２２とは別のボタンであってもよい。また例えば、複数のボタンに対して、ＩＣカードアクセス処理を解除するためのボタンを定義しても良い。例えば、ＩＣカードアクセス処理を実行中に電源のオフのみを認めると定めた場合には、電源ボタンをＩＣカードアクセス処理の解除のためのボタンと定義してもよい。
【００８５】
上述の説明では、テレビ受像機１００とリモートコントローラ２００との間でＩＣカードアクセス処理が実行されている場合に、ユーザによってリモートコントローラ２００のボタン部２２０が操作されたときは、テレビ受像機１００においてリモートコントローラ２００から送信された信号を破棄していたが、本発明においては係る例に限定されない。テレビ受像機１００とリモートコントローラ２００との間でＩＣカードアクセス処理が実行されている場合に、ユーザによってリモートコントローラ２００のボタン部２２０が操作されたときは、リモートコントローラ２００において信号の生成を制限してもよい。例えば、ＩＣカードアクセス処理を解除するためのボタン以外のボタンが押下されても、当該ボタンの押下に応じた信号を生成しないように、制御部２１０で制限してもよい。また、テレビ受像機１００とリモートコントローラ２００との間でＩＣカードアクセス処理が実行されている場合に、ＩＣカードアクセス処理に影響を及ぼさないボタンがリモートコントローラ２００で押下された場合には、当該ボタンの押下に基づく信号を生成しても良い。ＩＣカードアクセス処理に影響を及ぼさないボタンとしては、例えば音量の調節ボタンであってもよい。また、テレビ受像機１００とリモートコントローラ２００との間でＩＣカードアクセス処理が実行されている場合に、ＩＣカードアクセス処理に影響を及ぼさないボタンが、テレビ受像機１００との間でＩＣカードアクセス処理を実行していない他のリモートコントローラ２００で押下されたときは、他のリモートコントローラ２００は、当該ボタンの押下に基づく信号を生成しても良い。
【００８６】
以上、本発明の一実施形態にかかる情報処理システム１０における、ＩＣカードアクセス処理中におけるリモートコントローラ２００の操作制御について説明した。
【００８７】
＜２．まとめ＞
以上説明したように、本発明の一実施形態によれば、ユーザによって、リモートコントローラ２００のＩＣカードボタン２２２が押下された場合に初めてＩＣカードアクセス部２４０への通電が行われる。ＩＣカードボタン２２２の押下によって始めてＩＣカードアクセス部２４０への通電が行われることで、リモートコントローラ２００の電力消費を抑えることが出来る。
【００８８】
また、本発明の一実施形態によれば、リモートコントローラ２００のＩＣカードボタン２２２が押下されたことをテレビ受像機１００で検知する。そして、テレビ受像機１００で、ＩＣカードボタン２２２が押下されたリモートコントローラ２００との間でＩＣカードアクセス処理が可能な状態であれば、テレビ受像機１００とリモートコントローラ２００との間でＩＣカードアクセス処理を開始する。このようにテレビ受像機１００とリモートコントローラ２００との間でＩＣカードアクセス処理を開始することで、テレビ受像機１００は、リモートコントローラ２００のリーダライタアンテナ部２５０にかざされた携帯電話４００に対してアクセスすることができる。
【００８９】
また、本発明の一実施形態によれば、テレビ受像機１００が既に他のリモートコントローラとの間でＩＣカードアクセス処理を実行していれば、別のリモートコントローラ２００のＩＣカードボタン２２２が押下されても、そのリモートコントローラ２００とはＩＣカードアクセス処理を実行しない。このようにＩＣカードアクセス処理を制限することで、テレビ受像機１００に対して複数のリモートコントローラが存在する場合であっても、１対１のＩＣカードアクセス処理を実行することができる。
【００９０】
また、本発明の一実施形態によれば、リモートコントローラ２００のＩＣカードボタン２２２が押下されても、テレビ受像機１００がそのリモートコントローラ２００との間のＩＣカードアクセス処理を開始できない場合には、リモートコントローラ２００からリーダライタアンテナ部２５０にかざされた携帯電話４００に対して情報を送信する。リモートコントローラ２００から携帯電話４００へは、例えばリモートコントローラ２００の情報を送信したり、テレビ受像機１００から受信した情報を送信したりすることができる。このように携帯電話４００に対して情報を送信することで、携帯電話４００では受信した情報を用いた処理が可能となる。
【００９１】
また、本発明の一実施形態によれば、リモートコントローラ２００のＩＣカードボタン２２２が押下されて初めてＩＣカードアクセス処理が可能となる。従って、ユーザの意図しない携帯電話４００へのアクセスを制限することができる。
【００９２】
なお、上述した情報処理システム１０を用いたＩＣカードアクセス処理は、ハードウェアによって行われるようにしてもよく、ソフトウェアによって行われるようにしてもよい。ソフトウェアによって行われるようにする場合には、テレビ受像機１００やリモートコントローラ２００の内部にコンピュータプログラムを格納し、格納されたコンピュータプログラムを制御部１１０、２１０が読み出して順次実行するようにしてもよい。
【００９３】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００９４】
１０    情報処理システム
１００    テレビ受像機
１１０    制御部
１１２    ブラウザ表示部
１１４    ＩＣカードアクセス処理部
１１６    リモートコントローラ制御部
１２０    放送受信部
１３０    出力部
１４０    ネットワーク接続部
１５０    リモートコントローラ通信部
２００    リモートコントローラ
２１０    制御部
２１２    通信制御部
２１４    ＩＣカードアクセス制御部
２２０    ボタン部
２２２    ＩＣカードボタン
２３０    通信部
２４０    ＩＣカードアクセス部
２５０    リーダライタアンテナ部
２５２    ライト
３００    サーバ
４００    携帯電話
【図１】
2010206317.tif 000003
【図２】
2010206317.tif 000004
【図３】
2010206317.tif 000005
【図４】
2010206317.tif 000006
【図５】
2010206317.tif 000007
【図６】
2010206317.tif 000008
【図７】
2010206317.tif 000009
【図８】
2010206317.tif 000010
【図９】
2010206317.tif 000011